(57)【特許請求の範囲】
【請求項１】
縦方向及びそれに直交する横方向と、愛玩動物の身体と対向する内面とその反対側に位置する外面とを有し、前記愛玩動物の後肢よりも前方に位置する腹部および腰部を被覆する領域である腹側域と、前記愛玩動物の後肢よりも前方に位置する背部および腰部を被覆する領域である背側域と、前記縦方向において前記腹側域と前記背側域との間に位置して前記後肢の大腿部間を含めて尻部全体を被覆する領域である中間域と、透液性の内層と、不透液性の外層と、前記内外層間に介在された吸収体と、前記腹側域の両側縁から前記横方向の外方へ延びる一対のファスニングタブ、および前記背側域の外面に位置して前記ファスニングタブを掛け留めるためのランデイング部とを含む愛玩動物用の吸収性物品において、
前記腹側域は、互いに対向して前記縦方向へ直線状に延びる両側縁を有し、
前記腹側域の前記両側縁は、前記縦方向の一方の端にコーナ部分である内端を有し、
前記中間域は、前記腹側域の前記内端から互いに近接するように曲状に延びる両側縁を有して前記横方向の長さ寸法が、前記腹側域の前記横方向の寸法よりも短く、
前記中間域は、前記腹側域側に位置する第１区域と、前記背側域側に位置して前記愛玩動物の尻尾が挿通される開孔を形成するための切断ラインが位置する第２区域と、前記第１及び第２区域の間に位置する中央域とを有し、前記吸収体が前記中央域にのみ位置し、
前記中央域は前記吸収体を含む一方、前記第１区域は前記吸収体を含まず、前記中央域を形成する構成要素の積層された数が、前記第１区域を形成する構成要素の積層された数が少ないことによって前記中央域と前記第１区域とが区画され、
前記一対のファスニングタブの間には、前記横方向へ延びる弾性体が位置し、
前記背側域には、前記横方向へ延びる前記弾性体を配置していない吸収性物品。
【請求項２】
前記背側域は、互いに対向して前記縦方向へ傾斜する直線状に延びる両側縁を有し、
前記背側域の前記両側縁は、前記縦方向の一方の端にコーナ部分である内端を有し、
前記中間域は、前記背側域の前記内端から互いに近接するように曲状に延びる両側縁を有して前記横方向の長さ寸法が、前記背側域の前記横方向の寸法よりも短く、
前記中間域の前記両側縁は、前記腹側域の前記内端から前記横方向の内側へ曲状に延びる一対の第１凹曲部分と、前記背側域の前記内端から前記横方向の内側へ曲状に延びる一対の第２凹曲部分とを有し、前記吸収体は、一対の前記第１凹曲部分の間および一対の前記第２凹曲部分の間に位置していない請求項１に記載の吸収性物品。
【請求項３】
前記腹側域には、少なくとも前記横方向の中央部に高剛性域が位置し、
前記縦方向において前記吸収体と前記高剛性域との間には、それらよりも剛性の低い低剛性域が位置する請求項１又は２に記載の吸収性物品。
【請求項４】
前記両側縁のうちの少なくとも一方側縁には、前記縦方向へ伸長状態で収縮可能に固定された弾性要素が配置されており、前記弾性要素の収縮作用によって前記高剛性域と前記吸収体との間の前記低剛性域の前記縦方向における寸法が小さくなり、前記低剛性域は前記愛玩動物の身体と離れる方向へ凸となる請求項３に記載の吸収性物品。
【請求項５】
前記高剛性域と前記吸収体との間の前記縦方向の寸法は、前記吸収体の前記横方向の寸法よりも大きい請求項３又は４に記載の吸収性物品。
【請求項６】
前記低剛性域を形成する構成要素の積層された数が、前記吸収体が配置された領域の構成要素の数よりも少なく、かつ前記高剛性域を形成する構成要素の積層された数よりも少ない請求項３〜５のいずれかに記載の吸収性物品。
【請求項７】
前記高剛性域には、帯状の前記弾性体が配置される請求項３〜６のいずれかに記載の吸収性物品。
【請求項８】
前記弾性要素の収縮によって起立する封じ込めフラップを有し、前記封じ込めフラップが起立することによって形成される空間部と、前記愛玩動物の身体から離れる方向へ凸となった前記低剛性域に形成される空間部とが連通することによって収容スペースが形成される請求項４に記載の吸収性物品。
【請求項９】
前記弾性要素は、前記吸収体とその一部が重なる一対のフラップ弾性体と、前記一対のフラップ弾性体の前記横方向の外側に位置するサイド弾性体とを有し、
前記フラップ弾性体が前記吸収体および前記切断ラインを超えて前記背側域まで延出する請求項４に記載の吸収性物品。
【発明の詳細な説明】
【技術分野】
【０００１】
本発明は、犬や猫等の愛玩動物（ペット）の排泄物を吸収するための吸収性物品に関する。
【背景技術】
【０００２】
従来、犬や猫等の愛玩動物の身体に着用させるための愛玩動物用の吸収性物品は公知である。例えば、特許文献１には、縦方向およびそれに直交する横方向と、愛玩動物の身体と対向する内面とその反対側に位置する外面とを有し、腹側域と、背側域と、前記縦方向において前記腹側域と前記背側域との間に位置する中間域と、透液性の内層と、不透液性の外層シートと、前記内外層間に介在された吸収体とを有する、愛玩動物用の吸収性物品が開示されている。
【０００３】
この吸収性物品の吸収体は、縦方向において、中間域の背側域側に配置された動物の尻尾が挿通される開孔の近傍から、前記腹側域の端部近傍まで延びるように配置してある。よって、吸収体は、雄の愛玩動物の排尿器に対向する位置、および雌の愛玩動物の排尿器に対向する位置のそれぞれに配置してあるため、雄および雌のいずれの愛玩動物に対しても使用することができる。
【先行技術文献】
【特許文献】
【０００４】
【特許文献１】特開２００４−１５９５９１号公報（Ｐ２００４−１５９５９１Ａ）
【発明の概要】
【発明が解決しようとする課題】
【０００５】
しかしながら、特許文献１に開示された吸収性物品を愛玩動物に着用させた場合には、愛玩動物の後肢の可動領域に比較的に剛性の高い吸収体が位置することによって、後肢の動きが制限されるおそれがある。また、雌の愛玩動物においては、腹側域側に排尿器が位置しておらず、吸収体全体の吸液効率が悪いといえる。
【０００６】
本発明は、従来の愛玩動物用の吸収性物品の改良であって、吸収体の吸液効率に優れ、愛玩動物の後肢の動きを制限することのない愛玩動物用の吸収性物品の提供を課題にしている。
【課題を解決するための手段】
【０００７】
本発明は、縦方向及びそれに直交する横方向と、愛玩動物の身体と対向する内面とその反対側に位置する外面とを有し、前記愛玩動物の後肢よりも前方に位置する腹部および腰部を被覆する領域である腹側域と、前記愛玩動物の後肢よりも前方に位置する背部および腰部を被覆する領域である背側域と、前記縦方向において前記腹側域と前記背側域との間に位置して前記後肢の大腿部間を含めて尻部全体を被覆する領域である中間域と、透液性の内層と、不透液性の外層と、前記内外層間に介在された吸収体と、前記腹側域の両側縁から前記横方向の外方へ延びる一対のファスニングタブ、および前記背側域の外面に位置して前記ファスニングタブを掛け留めるためのランデイング部とを含む愛玩動物用の吸収性物品の改良にある。
【０００８】
本発明に係る愛玩動物用の吸収性物品は、前記腹側域は、互いに対向して前記縦方向へ直線状に延びる両側縁を有し、前記腹側域の前記両側縁は、前記縦方向の一方の端にコーナ部分である内端を有し、前記中間域は、前記腹側域の前記内端から互いに近接するように曲状に延びる両側縁を有して前記横方向の長さ寸法が、前記腹側域の前記横方向の寸法よりも短く、前記中間域は、前記腹側域側に位置する第１区域と、前記背側域側に位置して前記愛玩動物の尻尾が挿通される開孔を形成するための切断ラインが位置する第２区域と、前記第１及び第２区域の間に位置する中央域とを有し、前記吸収体が前記中央域にのみ位置し、前記中央域は前記吸収体を含む一方、前記第１区域は前記吸収体を含まず、前記中央域を形成する構成要素の積層された数が、前記第１区域を形成する構成要素の積層された数が少ないことによって前記中央域と前記第１区域とが区画され、前記一対のファスニングタブの間には、前記横方向へ延びる弾性体が位置し、前記背側域には、前記横方向へ延びる前記弾性体を配置していないことを特徴とする。
【発明の効果】
【０００９】
本発明の１つ以上の実施の形態に係る愛玩動物用の吸収性物品では、吸収体が、中間域の中央域にのみ位置して第１区域と第２区域には存在していないので、比較的に剛性の高い吸収体が愛玩動物の後肢の可動領域に位置することはなく、その動きが制限されることはない。また、雌の愛玩動物が着用物品を着用する場合において、排尿器と対向する中央域に吸収体が存在することによって尿等の排泄物を確実に吸収保持することができるともに、吸収体が中間域の全域に配置される場合に比して、吸液効率に優れる。
【図面の簡単な説明】
【００１０】
図面は、本発明の特定の実施の形態を示し、発明の不可欠な構成ばかりでなく、選択的及び好ましい実施の形態を含む。
【図１】本発明に係る愛玩動物用の吸収性物品の使用状態における斜視図。
【図２】各弾性体の最大伸長時（弾性材料の収縮作用によるギャザーがなくなる程度）まで縦方向及び横方向に伸展した吸収性物品の一部破断展開平面図。
【図３】図２のＩＩＩ−ＩＩＩ線に沿う模式的断面図。
【図４】図２のＩＶ−ＩＶ線に沿う模式的断面図。
【図５】吸収性物品の着用状態において、図４とおなじ部位を示す模式的断面図。
【図６】各弾性体の最大伸長時（弾性材料の収縮作用によるギャザーがなくなる程度）まで縦方向及び横方向に伸展した吸収性物品の一部破断展開平面図。
【図７】吸収性物品の着用状態を示す模式的断面図。
【図８】図７の矢視ＶＩＩＩにおける模式的断面図。
【発明を実施するための形態】
【００１１】
下記の各実施の形態は、図１〜８に示す愛玩動物用の吸収性物品に関し、発明の不可欠な構成ばかりではなく、選択的及び好ましい構成を含む。
【００１２】
図１〜４を参照すると、愛玩動物（ペット）５用の吸収性物品（おむつ）１０は、縦方向Ｙ及び横方向Ｘを有し、愛玩動物５の身体と対向する身体側対向面（内面）とその反対側に位置する非身体側対向面（外面）と、腹側域１１と、背側域１２と、縦方向Ｙにおいて腹側域１１と背側域１２と間に位置する中間域１３とを有する吸収パネル１４と、腹側域１１の両側縁１４ｃから横方向Ｘの外方へ延びるファスニングシステムを構成する一対のファスニングタブ１５とを含む。腹側域１１は、愛玩動物５の後肢７よりも前方に位置する腹部、および腰部を被覆する領域であり、背側域１２は、愛玩動物５の後肢７よりも前方に位置する背部、および腰部を被覆する領域であり、中間域１３は、後肢７の大腿部間を含めて尻部全体を被覆する領域である。中間域１３の一部には、尿等の排泄物を吸収するための吸収体２９が配置される。吸収性物品１０は、その横方向Ｘにおける寸法を２等分する縦軸Ｐと、その縦方向Ｙにおける寸法を２等分する横軸Ｑとを有する。
【００１３】
ファスニングタブ１５の身体側対向面には、メカニカルファスナのフック群から形成された第１ファスニング要素２０が設けられている。また、背側域１２の外面には、ファスニングタブ１５の第１ファスニング要素２０を解放可能に掛け留めるための、横方向Ｘへ延びるメカ二カルファスナのループ群から形成された第２ファスニング要素２１を有するランディング部２２が設けられている。
【００１４】
＜吸収パネル＞
吸収パネル１４は、縦方向Ｙにおいて対向して横方向Ｘへ延びる第１端縁１４ａ及び第２端縁１４ｂと、第１及び第２端縁１４ａ，１４ｂ間に位置して凹曲状に縦方向へ延びる両側縁１４ｃとにより輪郭が画定されている。中間域１３の両側縁１４ｃは、腹側域１１の内端から横方向Ｘの内側へ曲状に延びる一対の第１凹曲部分１９ａと、背側域１２の内端から横方向Ｘの内側へ曲状に延びる一対の第２凹曲部分１９ｂと、第１凹曲部分１９ａと第２凹曲部分１９ｂとの間に位置する一対の直状部１９ｃとを有する。吸収パネル１４は、繊維不織布、多孔プラスチックフィルム、それらのラミネートシート等から形成され、身体側対向面側に位置する透液性の内層シート（内層）２７と、透湿性プラスチックフィルム、繊維不織布、それらのラミネートシート等から形成され、非身体側対向面側に位置する不透液性の外層シート（外層）２８と、内外層シート２７，２８間の間に介在された吸収体２９とを含む。内層シート２７と外層シート２８とは、吸収体２９の周縁部から延出しており、該延出部位における内外層シート２７，２８のうちの少なくともいずれか一方の内面に塗布された例えばホットメルト接着剤（図示せず）を介して互いに接合されている。
【００１５】
図２及び図６を参照すると、中間域１３は、説明の便宜上、腹側域１１側に位置し、第１凹曲部分１９ａから横軸Ｑへ向かって延びる第１区域１６と、背側域１２側に位置し、第２凹曲部分１９ｂから横軸Ｑへ向かって延びる第２区域１７と、第１及び第２区域１６，１７の間に位置する中央域１８とに区分される。中央域１８には、吸収体２９が位置しており、第１区域１６は、腹側域１１の内端１１ａと吸収体２９の後記の第１端縁５１ａとの間に位置し、第２区域１７は、背側域１２の内端１２ａと吸収体２９の後記の第２端縁５１ｂとの間に位置する。なお、中間域１３において、第１区域１６と第２区域１７と中央域１８とは、例えば中間域１３の縦方向Ｙの寸法を三等分することによって画定してもよいし、第１および第２区域１６，１７の縦方向Ｙの寸法が、中央域１８の縦方向Ｙの寸法よりも大きくてもよいし、その逆でもよい。第１区域１６の縦方向Ｙの寸法が、中央域１８の縦方向Ｙの寸法よりも大きければ、後述する作用・効果を奏することができる。
【００１６】
内層シート２７と外層シート２８との間であって吸収体２９の非身体側対向面側には、不透液性かつ透湿性のプラスチックフィルムから形成された防漏シート３０が配置されており、内外層シート２７，２８のうちのいずれか一方の内面に固定されている。また、内層シート２７の身体側対向面における吸収体２９の横方向Ｘの外方には、縦軸Ｐに関して対称に位置する一対のフラップシート３２が配置されている。
【００１７】
吸収性物品１０を愛玩動物５に着用時において、一対のファスニングタブ１５の第１ファスニング要素２０と背側域１２の外面に位置する第２ファスニング要素２１とを互いに掛け留めることによって、ウエスト開口３３及び一対のレッグ開口３４が形成される（図１参照）。
【００１８】
図２および図３を参照すると、吸収パネル１４の腹側域１１には、外層シート２８と防漏シート３０との間において横方向Ｘへ延びる帯状の腹側リボン弾性体（腹側弾性要素）３５が配置されている。腹側リボン弾性体３５は、天然又は合成ゴム製や発泡性のポリウレタン製のストリング、平ゴム（ウレタンフォーム）やリボン状の弾性体から形成され、本実施形態においては、発泡性ポリウレタン製の弾性体が配置されている。腹側リボン弾性体３５は、所用の剛性を有し、腹側域１１に第１高剛性域６１を画定している。腹側リボン弾性体３５は、腹側域１１の比較的に広い範囲に収縮力を作用して愛玩動物５の身体にフィットさせるために、所要の幅寸法（縦方向Ｙの寸法）および長さ寸法（横方向Ｘの寸法）を有する帯状であることが好ましい。図６を参照すると、具体的には、腹側リボン弾性体３５の長さ寸法（横方向Ｘの寸法）Ｗ１は約５０〜４００ｍｍ、幅寸法（縦方向Ｙの寸法）Ｌ１は約１０〜６０ｍｍである。
【００１９】
図２および図４を参照すると、外層シート２８とフラップシート３２とは、腹背側域１１，１２において、内層シート２７と防漏シート３０との両側縁からさらに横方向Ｘの外方へ延出して互いに重なり合い、腹側サイドフラップ３８と背側サイドフラップ３９が形成されている。腹側サイドフラップ３８を形成する外層シート２８とフラップシート３２との両側縁部間には、一対のファスニングタブ１５の近位部１５ａが一体的に介在しており、両シート２７，２８の内面に固定されている。
【００２０】
第１ファスニング要素２０と第２ファスニング要素２１とから構成されるファスニングシステムにおいて、それが所要の剥離強度を有するものであれば、第１ファスニング要素２０をフック群に替えて感圧性接着剤が用いられてもよい。このときには、第１ファスニング要素２０を保護するために、第１ファスニング要素２０の表面をシリコンで塗布したセパレータで被覆することが好ましい。ファスニングタブ１５を形成する基材シートは、例えば、プラスチックフィルム、繊維不織布、それらのラミネートやクラフト紙等の比較的に剛性及び引張強度の高いシート材料から形成することが好ましい。また、本発明の所要の効果を奏する限りにおいて、ファスニングタブ１５を用いることなく、腹側サイドフラップ３８に設けられた第１ファスニング要素２０を直接第２ファスニング要素２１に解放可能に掛け留められるようにしてもよい。
【００２１】
フラップシート３２は、両側縁１４ｃの一部を形成する近位部と、腹背側域１１，１２において内層シート２７及び外層シート２８の身体側対向面に固定された前端固定部（固定部）４１ａ及び後端固定部４１ｂと、前後端固定部４１ａ，４１ｂ間において縦方向Ｙへ延び、フラップシート３２の内側縁を内方へ折り返すことによって形成された遠位部４２とを有する。防漏シート３０の両側縁の横方向Ｘの外方には、縦方向Ｙへ延びる例えば２条のストランド状又はストリング状のサイド弾性体（サイド弾性要素）４３が、フラップシート３２の近位部と外層シート２８の両側部との間にホットメルト接着剤（図示せず）を介して収縮可能に取り付けられている。また、遠位部４２には、縦方向Ｙへ延びる例えば１条のストランド状又はストリング状のフラップ弾性体（フラップ弾性要素）４４が伸長状態で収縮可能に取り付けられる。図５は、吸収性物品１０の着用状態において、腹側域１１の横断面を模式的に示す図であるが、遠位部４２は、フラップ弾性体４４の収縮作用によって内層シート２７の身体側対向面から離れ、横方向Ｘから排泄物が漏れるのを防止するための一対の封じ込めフラップ４６と、該封じ込めフラップ４６と内層シート２７との間に空間部４７とが形成される。
【００２２】
本実施形態において、サイド弾性体４３とフラップ弾性体４４とは、例えば繊度２８０〜５００ｄｔｅｘのストリング状又はストランド状の弾性材料を約２．０〜３．０倍、好ましくは、２．２〜２．５倍に伸長して収縮可能に取り付けられたものであって、各弾性体４３，４４に求められる所要の収縮力によって、弾性体４３，４４の数を増加し、もしくは複数設けた弾性体４３，４４における離間寸法（ピッチ）を適宜設定することができる。また、各弾性体４３，４４を構成する弾性材料の繊度や伸長倍率を均一にせずに互いに異なるように設定することもできる。具体的には、例えば、サイド弾性体４３を構成する複数条の弾性材料のうち、最も横方向Ｘの外側に位置する弾性材料の繊度を最も横方向Ｘの内側に位置する弾性材料の繊度に比して大きくしたり、又は、前者を後者よりも小さくしたり、さらには、横方向Ｘの内側から外側へ向かって各弾性材料の繊度又は伸長倍率を大きく（又は小さく）してもよい。
【００２３】
本実施形態においては、サイド弾性体４３は、吸収パネル１４の縦方向Ｙの全域、すなわち、第１端縁１４ａと第２端縁１４ｂとの間において縦方向Ｙへ一連に延びている。一方、フラップ弾性体４４は、第１端縁１４ａから吸収体２９よりも背側域１２側まで延在している。サイド弾性体４３及びフラップ弾性体４４は、実質的に伸縮性を発現する伸縮機能部分と、実質的に伸縮性を発現しない非伸縮機能部分とを有する。非伸縮機能部分は、それら弾性体４３，４４をシートに取り付けるとき、いわゆるスナップバック（弾性体４３，４４のうちシートに固着されていない非固着部分が、自らの収縮によりシートに固着されている接合端部近傍まで戻ること）により形成される。サイド弾性体４３とフラップ弾性体４４とは、それらの端部が腹側リボン弾性体３５の両端部と平面視において互いに重なって位置しており、該端部が実質的に伸縮性を発現する伸縮機能部分であることが好ましい。かかる場合には、両弾性体４３，４４の収縮力によって吸収パネル１４の第１端縁１４ａを、背側域１２側へ引っ張ろうとする力が作用して両側縁１４ｃ全体が緊張状態となり、吸収性物品１０の展開された形態が維持されるので、着用時において、吸収性物品１０の一部を愛玩動物５の後肢７間に通過させるときに、吸収性物品１０が大きく型崩れすることなくスムーズに着用操作をすることができる。
【００２４】
図２および図３を参照すると、吸収体２９は、内外層シート２７，２８間に介在され、中間域１３のみに位置し、不水溶性かつ自己質量の１０倍以上の吸水力を有するいわゆる高吸収性ポリマー（ＳＡＰ）粒子、木材フラッフパルプ、オプションとして熱可塑性繊維を僅かに含む混合物から形成された半剛性の吸収性コア５１と、それを包被する、親水性かつ液拡散性を有する不織布又はティッシュペーパから形成されたコアラップシート５２とを含む。コアラップシート５２は、内層シート２７及び／又は防漏シート３０と例えばホットメルト接着剤を介して接合されており、吸収性コア５１の側縁から横方向Ｘの外側に延在する。図６を参照すると、吸収体２９の縦方向Ｙの長さ寸法Ｌ２は、小型犬に使用する本実施形態の吸収性物品１０では、約２３０ｍｍであり、吸収体２９の横方向Ｘの長さ寸法Ｗ２は、約１００ｍｍである。吸収体２９の縦横の長さ寸法Ｌ２，Ｗ２は、小型犬用の吸収性物品と、大型犬用の吸収性物品とでは大きく異なる。しかし、吸収性物品１０の縦方向Ｙの寸法Ｌ４に対して、吸収体２９の縦方向Ｙの長さ寸法Ｌ２の割合は、本実施形態では、約３０％であり、好ましくは、約１５〜３５％である。また、吸収性物品１０の横方向Ｘの寸法Ｗ４に対して、吸収体２９の横方向Ｘの長さ寸法Ｗ２の割合は、本実施形態では、約４０％であり、好ましくは、約２０〜６０％である。吸収性物品１０の縦方向Ｙの長さ寸法Ｌ４は、本実施形態では、約４５０ｍｍであり、吸収性物品１０の横方向Ｘの長さ寸法Ｗ４は、約２５０ｍｍである。
【００２５】
図６を参照すると、中間域１３の吸収体２９の配置領域は、剛性の比較的高い吸収性コア５１が位置しており、また、腹側域１１の腹側リボン弾性体３５の配置領域も伸長状態で取り付けられた弾性体が配置されていることから、それらの領域は、シート部材のみから形成された部分に比して剛性が高くなっている。したがって、腹側域１１側においては、腹側リボン弾性体３５の配置された第１高剛性域６１と吸収体２９の配置された第２高剛性域（吸収体２９が配置された部位）６２との間であって、具体的には、腹側リボン弾性体３５の内端縁３５ａと吸収体２９の第１端縁５１ａとの間に位置する低剛性域６３が画定される。
【００２６】
第１高剛性域６１は、シート２７，２８，３０と腹側リボン弾性体３５とから形成され、第２高剛性域６２は、シート２７，２８，３０及び吸収体２９とから形成され、低剛性域６３は、シート２７，２８，３０から形成されている。すなわち、低剛性域６３を形成する構成要素（シート部材、弾性材料等の吸収パネル１４を構成する要素）の積層された数が、第１及び第２高剛性域６１，６２を形成する構成要素の積層された数よりも少ない。図６を参照すると、低剛性域６３の縦方向Ｙの長さ寸法Ｌ３は、小型犬に使用する本実施形態の吸収性物品１０では、好ましくは、約２２〜１１２ｍｍであり、低剛性域６３の横方向Ｘの長さ寸法Ｗ３は、本実施形態では、約１１５ｍｍであり、好ましくは、約８０〜１４０ｍｍである。低剛性域６３の縦横の長さ寸法Ｌ３，Ｗ３は、小型犬用の吸収性物品と、大型犬用の吸収性物品とでは大きく異なる。しかし、吸収性物品１０の縦方向Ｙの寸法Ｌ４に対して、低剛性域６３の縦方向Ｙの長さ寸法Ｌ３の割合は、好ましくは、約５〜２５％である。また、吸収性物品１０の横方向Ｘの寸法Ｗ４に対して、低剛性域６３の横方向Ｘの長さ寸法Ｗ３の割合は、好ましくは、約３０〜６０％である。ただし、低剛性域６３の縦方向Ｙの長さ寸法Ｌ３は、吸収体２９の横方向Ｘの長さ寸法Ｗ２よりも大きい。
【００２７】
図２および図３を参照すると、中間域１３の第２区域１７には、愛玩動物５の尻尾６を挿通する開口（挿通孔）を形成するための切断ライン（ミシン目）５５が配置される。切断ライン５５は、略Ｕ字状であって、平面視において互いに重なる内層シート２７、防漏シート３０及び外層シート２８を貫通する。該切断ライン５５に沿って吸収パネル１４の一部を切断し、各シート２７，２８，３０が接合又は非接合された状態における舌片５６を外側へ向けて折り曲げることによって開口が形成される。
【００２８】
図１及び図７を参照すると、本実施形態においては、既述のとおり、中間域１３の吸収体２９が中央域１８にのみ位置して第１区域１６と第２区域１７には存在しない。愛玩動物５は、人間と比べて後肢７の動きが制限されることを嫌がる傾向にあり、比較的に剛性の高い吸収体２９が後肢７の可動領域に配置される場合には、吸収体２９がごわつくことにより後肢７を動かすのを嫌がって歩行時の活動量が低下するおそれがある。本実施形態では、吸収体２９が中央域１８にのみ配置されており、後肢７の可動領域には位置しておらず、後肢７の動きが阻害されて歩行時の活動量が低下することはない。また、雌の愛玩動物に吸収性物品１０を着用させる場合には、排尿器が中央域１８と対向して位置するので、尿等の排泄物を中央域１８の吸収体２９で確実に吸収保持することができるとともに、排尿器が対向しない、第１及び第２区域１６，１７には、吸収体２９が配置されていないので、それが中間域１３全域に配置されている場合に比して、吸収効率に優れる。
【００２９】
また、吸収性物品１０を愛玩動物５に着用させたとき、両側縁１４ｃにおいて縦方向Ｙへ伸長状態で収縮可能に固定された弾性体４３，４４が収縮することによって、第１高剛性域６１と第２高剛性域６２との間に挟まれて位置する低剛性域６３の縦方向Ｙの寸法が小さくなる。そのため、弾性体４３，４４の収縮作用と、第１及び第２高剛性域６１，６２と低剛性域６３との剛性差とによって、低剛性域６３は、図７に示すように、愛玩動物５の身体と離れる方向へ凸曲した形状となり、愛玩動物５の身体と低剛性域６３との間には、空間部（ポケット）７０が画定される。したがって、雄の愛玩動物５に着用させる場合において、排尿器が、吸収体２９の存在しない第１区域１６と対向して位置し、尿等の排泄物が腹側域１１側へ移動したときでも、その排泄物を空間部７０内に一時的に収容し、外部に漏れ出るのを防止することができるとともに、雌の愛玩動物５に着用させる場合においては、比較的に多量の尿が排泄されたときでも、中央域１８の吸収体２９で吸収できずに、腹側域１１側へ移動した排泄物を空間部７０で一時的に収容して外部への漏れを防止することができる。
【００３０】
また、本実施形態においては、図６に示すように、低剛性域６３の縦方向Ｙの長さ寸法（腹側リボン弾性体３５と吸収体２９との間の寸法）Ｌ３は、第２高剛性域６２の横方向Ｘの長さ寸法Ｗ１よりも大きくなっている。このように、比較的に低剛性域６３の長さ寸法が大きいことによって、低剛性域６３による空間部７０が比較的に大きくなり、腹側域１１側へ移動した尿を確実に収容させることができる。
【００３１】
さらに、低剛性域６３の横方向Ｘの長さ寸法（横方向Ｘにおいて、縦軸Ｐに近接する一対のサイド弾性体４３間の寸法）Ｗ３は、吸収体２９の横方向Ｘの長さ寸法Ｗ２よりも大きくなっている。このように、低剛性域６３の横方向の長さ寸法Ｗ３が、吸収体２９の横方向Ｘの長さ寸法Ｗ２よりも大きいため、比較的に多量の排泄物が排泄され、吸収体２９が排泄物の一部を吸収しきれずに腹側域１１側へ排泄物が流れても、低剛性域６３の横方向Ｘの長さ寸法が大きいため、排泄物が吸収性物品から漏れるのを防止することができる。
【００３２】
図８を参照すると、着用状態において、弾性要素の収縮作用によって起立する封じ込めフラップ４６による空間部４７と、低剛性域６３による空間部７０とが連通することによって、比較的に大きな収容スペースＳが画定される。腹側域１１側にかかる収容スペースＳが画定されることによって、空間部４７，７０のいずれかのみが形成される場合に比して、腹側域１１側へ移動した尿の漏れをより効果的に防止することができる。
【００３３】
本実施形態では、第１高剛性域６１に腹側リボン弾性体３５を配置することによって剛性が付与されているが、リボン状の弾性体を配置することのほかに、例えば、複数条のストランド状又はストリング状の弾性体（弾性要素）や弾性又は非弾性の繊維不織布を配置したり、シート部材に加熱及び／又は加圧によるエンボス／デボス加工を施したりすることによって部分的に剛性を高くしてもよい。また、腹側域１１に配置する弾性体は、リボン状のものに限られず、ストランド状またはストリング状等の弾性体を配置してもよい。
【００３４】
吸収性物品１０を構成する部材には、特に明記されていない限りにおいて、本明細書に記載されている材料のほかに、この種の分野において通常用いられている公知の材料を制限なく用いることができる。また、本明細書において使用されている「第１」および「第２」等の用語は、同様の要素、位置等を単に区別するために用いてある。
【００３５】
以上に記載した本発明に関する開示は、少なくとも下記事項に整理することができる。
縦方向及びそれに直交する横方向と、愛玩動物の身体と対向する内面とその反対側に位置する外面とを有し、前記愛玩動物の後肢よりも前方に位置する腹部および腰部を被覆する領域である腹側域と、前記愛玩動物の後肢よりも前方に位置する背部および腰部を被覆する領域である背側域と、前記縦方向において前記腹側域と前記背側域との間に位置して前記後肢の大腿部間を含めて尻部全体を被覆する領域である中間域と、透液性の内層と、不透液性の外層と、前記内外層間に介在された吸収体と、前記腹側域の両側縁から前記横方向の外方へ延びる一対のファスニングタブ、および前記背側域の外面に位置して前記ファスニングタブを掛け留めるためのランデイング部とを含む愛玩動物用の吸収性物品において、前記腹側域は、互いに対向して前記縦方向へ直線状に延びる両側縁を有し、前記腹側域の前記両側縁は、前記縦方向の一方の端にコーナ部分である内端を有し、前記中間域は、前記腹側域の前記内端から互いに近接するように曲状に延びる両側縁を有して前記横方向の長さ寸法が、前記腹側域の前記横方向の寸法よりも短く、  前記中間域は、前記腹側域側に位置する第１区域と、前記背側域側に位置して前記愛玩動物の尻尾が挿通される開孔を形成するための切断ラインが位置する第２区域と、前記第１及び第２区域の間に位置する中央域とを有し、前記吸収体が前記中央域にのみ位置し、前記中央域は前記吸収体を含む一方、前記第１区域は前記吸収体を含まず、前記中央域を形成する構成要素の積層された数が、前記第１区域を形成する構成要素の積層された数が少ないことによって前記中央域と前記第１区域とが区画され、前記一対のファスニングタブの間には、前記横方向へ延びる弾性体が位置し、前記背側域には、前記横方向へ延びる前記弾性体を配置していない。
【００３６】
上記段落［００３５］に開示した本発明は、少なくとも下記の実施の形態を含むことができる。該実施の形態は、分離して又は互いに組み合わせて採択することができる。
（１）前記背側域は、互いに対向して前記縦方向へ傾斜する直線状に延びる両側縁を有し、前記背側域の前記両側縁は、前記縦方向の一方の端にコーナ部分である内端を有し、前記中間域は、前記背側域の前記内端から互いに近接するように曲状に延びる両側縁を有して前記横方向の長さ寸法が、前記背側域の前記横方向の寸法よりも短く、前記中間域の前記両側縁は、前記腹側域の前記内端から前記横方向の内側へ曲状に延びる一対の第１凹曲部分と、前記背側域の前記内端から前記横方向の内側へ曲状に延びる一対の第２凹曲部分とを有し、前記吸収体は、一対の前記第１凹曲部分の間および一対の前記第２凹曲部分の間に位置していない。
（２）前記腹側域には、少なくとも前記横方向の中央部に高剛性域が位置し、前記縦方向において前記吸収体と前記高剛性域との間には、それらよりも剛性の低い低剛性域が位置する。
（３）前記両側縁のうちの少なくとも一方側縁には、前記縦方向へ伸長状態で収縮可能に固定された弾性要素が配置されており、前記弾性要素の収縮作用によって前記高剛性域と前記吸収体との間の前記低剛性域の前記縦方向における寸法が小さくなり、前記低剛性域は前記愛玩動物の身体と離れる方向へ凸となる。
（４）前記高剛性域と前記吸収体との間の前記縦方向の寸法は、前記吸収体の前記横方向の寸法よりも大きい。
（５）前記低剛性域を形成する構成要素の積層された数が、前記吸収体が配置された領域の構成要素の積層された数よりも少なく、かつ前記高剛性域を形成する構成要素の積層された数よりも少ない
（６）前記高剛性域には、帯状の前記弾性体が配置される。
（７）前記弾性要素の収縮によって起立する封じ込めフラップを有し、前記封じ込めフラップが起立することによって形成される空間部と、前記愛玩動物の身体から離れる方向へ凸となった前記低剛性域に形成される空間部とが連通することによって収容スペースが形成される。
（８）前記弾性要素は、前記吸収体とその一部が重なる一対のフラップ弾性体と、前記一対のフラップ弾性体の前記横方向の外側に位置するサイド弾性体とを有し、前記フラップ弾性体が前記吸収体および前記切断ラインを超えて前記背側域まで延出する。
【符号の説明】
【００３７】
５    愛玩動物
１０    吸収性物品
１１    腹側域
１２    背側域
１３    中間域
１４    吸収パネル
１６    第１区域
１７    第２区域
１８    中央域
１９ａ  第１凹曲部分
１９ｂ  第２凹曲部分
２７    内層シート（内層）
２８    外層シート（外層）
２９    吸収体
３２    フラップシート
３５    腹側リボン弾性体（腹側弾性要素）
４３    サイド弾性体（弾性要素）
４４    フラップ弾性体（弾性要素）
４６    封じ込めフラップ
４７    空間部
６１    第１高剛性域（高剛性域）
６２    第２高剛性域
６３    低剛性域
７０    空間部
Ｓ      収容スペース
Ｘ      横方向
Ｙ      縦方向
【図１】
0006465586.tif 000002
【図２】
0006465586.tif 000003
【図３】
0006465586.tif 000004
【図４】
0006465586.tif 000005
【図５】
0006465586.tif 000006
【図６】
0006465586.tif 000007
【図７】
0006465586.tif 000008
【図８】
0006465586.tif 000009